(57)【要約】 【課題】記録エリアのトラック方向に必要なシフト選択性を確保しつつ、クロストラック方向のトレランスを増やして記録することにより、再生時のトラッキングサーボを容易且つ安定に行うこと。【解決手段】ホログラム記録材料１２の記録エリアのトラック方向に長い形状の拡散板１６を用意し、この拡散板１６に参照光２００を通して、これをホログラム記録材料１２に照射する。これにより、前記記録エリアのトラック方向よりもクロストラック方向に大きな粒状形状を有するスペックルパターンを持った参照光が生成され、これをホログラム記録材料１２の記録エリアに照射することにより、トラック方向の必要なシフト選択性を確保しつつ、クロストラック方向のトレランスを増やして記録することができ、それ故、再生時のトラッキングサーボを容易且つ安定に行うことができる。【選択図】図５
2006030380.tif 000002
【特許請求の範囲】
【請求項１】
信号光とスペックルパターンを有する参照光との干渉縞をホログラム記録材料の記録エリアに記録するホログラム装置であって、
前記記録エリアのトラック方向とクロストラック方向とで前記参照光のスペックルパターンの形態が異なるようにするスペックルパターン生成手段を具備する、
ことを特徴とするホログラム装置。
【請求項２】
前記スペックルパターンの形態は、前記記録エリアのトラック方向よりもクロストラック方向に大きな粒状形状を有することを特徴とする請求項１記載のホログラム装置。
【請求項３】
前記参照光の前記ホログラム記録材料から見た開口数は、前記記録エリアのトラック方向とクロストラック方向とで異なり、トラック方向よりもクロストラック方向のほうが小さい開口数を持つことを特徴とする請求項１記載のホログラム装置。
【請求項４】
前記スペックルパターン生成手段は、前記記録エリアのトラック方向の長さに比べてクロストラック方向の長さが短い形状をした拡散板或いは回折光学素子であることを特徴とする請求項１記載のホログラム装置。
【請求項５】
前記スペックルパターン生成手段は、拡散板或いは回折光学素子と、前記拡散板或いは回折光学素子を通った参照光を前記ホログラム記録材料に照射するテレセントリック光学系と、前記テレセントリック光学系の中に配置されるアパーチャとを具備して成ることを特徴とする請求項１記載のホログラム装置。
【請求項６】
前記スペックルパターン生成手段は、アパーチャと、このアパーチャの開口部に装着された拡散板或いは回折光学素子と、前記拡散板或いは回折光学素子を通った参照光を前記ホログラム記録材料に照射するレンズとを具備して成ることを特徴とする請求項１記載のホログラム装置。
【請求項７】
前記アパーチャは、前記記録エリアのトラック方向に細長い形状をしていることを特徴とする請求項５又は６記載のホログラム装置。
【請求項８】
前記スペックルパターン生成手段は、前記記録エリアのトラック方向とクロストラック方向とで拡散角度が異なる拡散板或いは回折光学素子と、前記拡散板或いは回折光学素子を通った参照光を前記ホログラム記録材料に照射するテレセントリックの光学系とを具備して成ることを特徴とする請求項１記載のホログラム装置。
【請求項９】
前記ホログラム記録材料はディスク形状をしていることを特徴とする請求項１記載のホログラム装置。
【請求項１０】
信号光とスペックルパターンを有する参照光との干渉縞をホログラム記録材料の記録エリアに記録するホログラム記録方法であって、
前記記録エリアのトラック方向とクロストラック方向とで前記スペックルパターンの形態が異なる参照光を用いることを特徴とするホログラム記録方法。
【発明の詳細な説明】
【技術分野】
【０００１】
本発明は、ホログラムをホログラム記録材料に体積記録するホログラム装置に係り、特に再生時のトラッキングサーボを容易に行うためのホログラム記録方法に関する。
【背景技術】
【０００２】
近年、ホログラム技術を利用して大容量データの記録再生を行うホログラフィックストレージシステムが提案されている。このホログラフィックストレージシステムは、例えば液晶素子等の空間光変調手段によって生成される記録データを含む信号光と、この信号光に対応して設定される参照光とを所定の角度でホログラム記録材料（以降単に記録材料と称することもある）に照射することにより、信号光と参照光によって生じる干渉縞を記録材料に記録する記録系と、このホログラム記録材料に再生照明光を照射することによって記録された干渉縞に対応する回折光（再生信号光）を生成し、これをＣＣＤイメージセンサ等の受光素子によって受光してその解析を行って、データを再生する再生系とを有する構成となっている。なお、このようにして記録された空間光変調手段１つあたりのホログラムをページと呼ぶ。
【０００３】
また、ホログラフィックストレージシステムにおいては、記録密度向上のために多重記録と言う手法を用いる。これは、従来の光ディスクにおける記録と異なり、１箇所に多数の独立なページを記録するというものである。このような多重記録方式の代表的なものとしては、角度多重記録、シフト多重記録、位相コード多重記録方式などが公知で、その他多くの多重方式が知られている。
【０００４】
角度多重方式は、参照光の角度を変えることで１箇所に多数の独立なページを記録、再生するものである。シフト多重は記録位置を少しづつずらすことで、多重記録を行うものである。位相コード多重はひとつのページを記録する際に、色々な方向から参照光を同時に当てて記録する。しかし、その際に、各方向からの参照光に位相の変化を与えておく。この位相の変化を色々と組み合わせることで、１箇所に多数枚の独立なページを記録再生するものである。
【０００５】
また、上記の３種類以外にも多くの多重方式が考えられる。例えば、本稿と関係のあるものとして、スペックル多重（若しくはコリレーション多重）と呼ばれているものがあるが、これについて次に詳しく説明する。
【０００６】
スペックル多重とは、参照光の光路中に例えば拡散体を入れ、それにより拡散された参照光と信号光を記録材料内で干渉させる方法である。一般に、ランダムな拡散を受けたレーザ光は、ランダムな干渉を起こした結果、スペックルパターンと呼ばれるランダムな強度分布を持つようになる。すなわち、スペックル多重方式ではスペックルパターンと信号光が干渉することになる。このようにして記録されたホログラムはスペックルサイズと同等な距離だけ変位すると像が再生されなくなるという特徴がある。この特徴を利用した多重方法がスペックル多重（もしくはコリレーション多重）であり、球面波を使ったシフト多重よりも密に記録できる（すなわち、シフト選択性が良い）長所がある。
【０００７】
スペックル多重方式ホログラムを利用し、例えば図１２のようなシフト記録を行ったとする。話を分かり易くするために、記録は光ディスクのように回転するディスク型記録材料に行われたとし、シフト方向はディスクの回転方向と一致しているとする。読み出しも回転しながら行われる。この図で、一つの円はホログラム１ページの記録エリアを表している。しかし実際は円形とは限らず、楕円であったり、矩形であったりする。このようにして記録されたホログラムを再生する場合を考える。なお、図１２では直交方向（クロストラック方向）にはホログラム同士が重なっていないが、実際は重なっていても良い。
【０００８】
従来の光ディスクでは、シフト方向をトラック方向とも呼び、シフト方向に直交する方向はクロストラック方向と呼んでいるが、回転するにしたがって、トラック方向の位置の横ずれに対するサーボ（すなわちトラッキングサーボ）は、再生において重要な役割をもっていた。ちなみに、従来の光ディスクではこのズレ量は数十〜数百ミクロンが許容されていた。
【非特許文献１】（例えば非特許文献：Holographic Data Storage;H.J.Coufal,D.Psaltis,G.T.Sincerbox ED;Springer; p.185 Photopolymer System）
【発明の開示】
【発明が解決しようとする課題】
【０００９】
このトラック方向の位置の横ずれに関してはホログラフィックストレージにおいても同じような状況があり、トラッキングサーボのようなものが必要である。しかしながら、スペックル多重方式においては記録容量を稼ぐためにシフト選択性を数ミクロン〜数十ミクロンとするのが一般的である。この高い選択性はシフト方向に対しては必要なものであるが、クロストラック方向についてはトラッキングサーボを掛けるのが難しい数値である。すなわち、クロストラック方向のシフト選択性を低くしないと、言い換えるとクロストラック方向のトレランスを増やさないと、再生時にトラッキングサーボを掛けることが難しくなるという問題がある。
【００１０】
本発明は前記事情に鑑み案出されたものであって、本発明の目的は、ホログラム記録材料の記録エリアのトラック方向に必要なシフト選択性を確保しつつ、クロストラック方向のトレランスを増やして記録することにより、再生時のトラッキングサーボを容易且つ安定に行うことができるホログラム装置及びホログラム記録方法を提供することにある。
【課題を解決するための手段】
【００１１】
本発明は上記目的を達成するため、信号光とスペックルパターンを有する参照光との干渉縞をホログラム記録材料の記録エリアに記録するホログラム装置であって、前記記録エリアのトラック方向とクロストラック方向とで前記参照光のスペックルパターンの形態が異なるようにするスペックルパターン生成手段を具備することを特徴とする。
【００１２】
このように本発明では、例えばホログラム記録材料の記録エリアのトラック方向に長い形状の拡散板に参照光を通して、これをホログラム記録材料に照射することにより、前記記録エリアのトラック方向よりもクロストラック方向に大きな粒状形状を有するスペックルパターンを持った参照光を生成し、これをホログラム記録材料の記録エリアに照射して記録するため、トラック方向に必要なシフト選択性を確保しつつ、クロストラック方向のトレランスを増やして記録することができ、それ故、再生時のトラッキングサーボを容易且つ安定に行うことができる。
【発明の効果】
【００１３】
本発明によれば、ホログラム記録材料の記録エリアのトラック方向とクロストラック方向とで前記スペックルパターンの形態が異なる参照光を用いることによって、トラック方向に必要なシフト選択性を確保しつつ、クロストラック方向のトレランスを増やして記録することができ、それ故、再生時のトラッキングサーボを容易且つ安定に行うことができる。
また、上記効果により、トラッキングサーボの限界にとらわれることなく、ホログラム記録材料の記録エリアのトラック方向の記録密度を詰めることができるため、記録材料のダイナミックレンジ一杯まで記録密度を上げることができる。
【発明を実施するための最良の形態】
【００１４】
ホログラム記録材料の記録エリアのトラック方向に必要なシフト選択性を確保しつつ、クロストラック方向のトレランスを増やして記録することが可能で、それ故、再生時のトラッキングサーボを容易且つ安定に行うことを可能とする目的を、ホログラム記録材料の記録エリアのトラック方向とクロストラック方向とで前記スペックルパターンの形態が異なる参照光を用いることによって実現した。
【実施例１】
【００１５】
図１は、本発明の第１の実施の形態に係るホログラム記録再生装置の構成を示した概略図である。ホログラム記録再生装置は、レーザ光源２、シャッター３、ビームスプリッター４、ミラー６、空間光変調器８、レンズ１０、ディスク状のホログラム記録材料（フォトポリマ材等）１２、ミラー１４、参照光２００を拡散して波面をスペックル状にする拡散板１６、レンズ１８、レンズ２０、ディテクター２２、スピンドルモータ７を有している。
【００１６】
次に本実施の形態の動作について説明する。図１にて、ホログラム記録材料１２にデータを記録する場合、シャッタ−３が閉まった状態で、記録するデータページが空間光変調器（透過性の液晶表示装置）８に表示されると共に、スピンドルモータ７を回転させてホログラム記録材料１２の記録場所（記録エリア）を決めた後、シャッタ−３を開ける。
【００１７】
これにより、レーザ光源２から出射された干渉性を持つレーザ光はシャッタ−３を通してビームスプリッター４に入射し、信号光１００と参照光２００に分岐される。信号光１００はミラ−６を介して空間光変調器８に入射され、信号光１００はデータページが表示された空間光変調器８を通ることで、空間光変調（強度変調）される。変調された信号光はレンズ１０によりホログラム記録材料１２の上記記録エリアに集光される。
【００１８】
一方、参照光２００はミラー１４を介して拡散板１６に入射されることにより波面がスペックル状の参照光となり、その後レンズ１８によりホログラム記録材料１２の信号光１００と同−の集光点に集光される。その結果、ホログラム記録材料１２内において、この信号光１００と参照光２００の集光点で両光線が重ね合わされて、その結果形成される干渉縞がホログラム記録材料１２に微細な疎密パターンとして記録される。
【００１９】
その後、空間光変調器８に次に記録するデータページが表示されると共に、スピンドルモータ７を僅かに回転させて、ホログラム記録材料１２をδだけシフトすると、信号光１００と参照光２００が集光される部分が相対的にδ動くことになる。この状態で、シャッター３が開かれると、次に記録するデータページがホログラム記録材料１２の信号光１００と参照光２００の集光領域（記録エリア）にスペックル多重記録される。
【００２０】
図２は上記のようにスペックル多重記録した場合のディスク状のホログラム記録材料１２の記録エリアの形態を模式的に示した図である。図２（Ａ）に示すように、ディスク状のホログラム記録材料１２のトラック方向（円周方向）にスペックル多重記録され、図２（Ｂ）に示したひとつの円が記録エリアで、この記録エリアがトラック方向（矢印Ｐ方向）にσ間隔で生成されており、記録エリアが重なって多重記録されている。この図２（Ｂ）の矢印Ｑ方向がクロストラック方向である。
【００２１】
上記のような参照光光学系を用いてスペックル多重ホログラムを記録した場合のシフト選択性については、すでに知られた関係がある。すなわち、スペックル多重方式のシフト選択性は、参照光のスペックルサイズで決まり、また、図３において、参照光のスペックルサイズは、ホログラム記録材料から見た参照光波の開口数で決まる。具体的には、ホログラム記録材料の面内平均スペックルサイズδはδ＝1.22λＬ／ｄで与えられる。但し、λは参照光２００の波長であり、Ｌ，ｄは、図３中に示すものである。
【００２２】
したがって、このような参照光を用いたスペックル多重光学系では、シフト選択性はδのオーダーになる。しかしながら、従来は基本的には等方的な拡散板を用い、拡散板の形状も、記録材料のシフト方向を考慮して決められたことはなかった。このため、シフト選択性も基本的には等方的であり、その結果、トラック方向とクロストラック方向では同じシフト選択性を持つことになっていた。シフト選択性は、別の見方をすればシステムのトレランスと同じであり、必要以上にシフト選択性が高いと、トレランスが少なくなり、サーボや周辺精度に不要な負担をかけることになる。
【００２３】
そこで、本実施の形態では、図４に示すようにトラック方向とクロストラック方向に異なる大きさを持つスペックルパターンを持つ参照光２００を発生する拡散板１６を用いている。このような参照光２００は図４に示すように、クロストラック方向はスペックルパターンが疎で、クロストラック方向では密な形態、例えばトラック方向よりもクロストラック方向に大きな粒状形態を有することになる。
【００２４】
このようなスペックルパターンを発生させるためには、ホログラム記録材料から見た参照光波の開口数がシフト方向とクロストラック方向で異なり、クロストラック方向のほうがシフト方向よりも小さい開口数を持つ必要がある。それには、図５（Ａ）に示すように、拡散板１６に照射される照明光の範囲がトラック方向に長く、図５（Ｂ）に示すように、拡散板１６に照射される照明光の範囲がクロストラック方向に短くなるようにすれば良く、すなわち、図５の配置の場合、ｄｉｎ＞ｄｃｒｏｓｓとすることでクロストラック方向に長いスペックルパターンを作ることが出来る。
【００２５】
本実施の形態によれば、細長い形状をした拡散板１６によりシフト方向とクロストラック方向で異なる形態を有するスペックルパターンを持った参照光２００を生成し、この参照光２００と信号光１００の干渉縞を記録することにより、トラック方向に必要なシフト選択性を確保しつつ、クロストラック方向のトレランスを増やして記録することができ、それ故、再生時のトラッキングサーボを容易且つ安定に行うことができる。
【００２６】
尚、スペックルの理論により、拡散板１６の拡散角とスペックルサイズは通常は無関係である。図５から分かるように拡散板１６の拡散角は、ホログラム記録エリアの必要な部分に参照光２００が広がるように設定されていることが好ましい。このような拡散角の制御は拡散板の表面粗さによって制御できるし、拡散板の代わりに回折光学素子のようなものを用いても良い。
【実施例２】
【００２７】
図６は、本発明の第２の実施の形態に係るホログラム記録再生装置の要部の構成を示した平面図である。但し、第１の実施の形態と同様の部分には同一符号を付して説明する。本実施の形態のホログラム記録再生装置の参照光光学系は、アパーチャ２５を有し、拡散板を通った参照光をこのアパーチャ２５を通してホログラム記録材料１２に照射する。
【００２８】
図７（Ａ）は図６を矢印Ａ方向から見た側面図であり、図７（Ｂ）は図６を矢印Ｂ方向から見た側面図である。ホログラム記録再生装置の参照光光学系は拡散板１６、レンズ２４、アパーチャ２５、レンズ２６を有して構成され、レンズ２４、レンズ２６は、テレセントリック光学系の一種である４ｆ光学系を成している。
【００２９】
次に本実施の形態の動作について説明する。参照光２００は拡散板１６によりその波面
がスペックル状になり、これがレンズ２４によりアパーチャ２５に集光される。参照光２００はアパーチャ２５を通過した後、レンズ２６によりホログラム記録材料１２に照射される。
【００３０】
本実施の形態のアパーチャ２５はトラック方向に細長い形状をしている。これは、アパーチャ２５の開口が大きいほうがホログラム記録材料１２から見た参照光波の開口数が大きくなり、従ってスペックルパターンが小さくなる。レンズ２４とレンズ２６は４ｆ光学系を成して拡散板１６とホログラム記録材料１２面は結像関係にあるため、ホログラム記録材料１２上の参照光２００の照射範囲はトラック方向のスペックルパターンが小さくなり、クロストラック方向のスペックルパターンは大きくなる。したがって、トラック方向に関しては必要なシフト選択性が得られるまでアパーチャ２５の開口を大きくし、一方、クロストラック方向に関しては、アパーチャ２５の開口を絞ることでトレランスを大きく取ることができる。それ故、トラッキングサーボや偏芯などの各種制約を緩やかにすることが可能である。
【００３１】
本実施の形態によれば、拡散板１６によりスペックル状となった参照光２００をトラック方向に細長い形状をしたアパーチャ２５を通し且つ、４ｆ光学系により拡散板１６とホログラム記録材料１２面は結像関係とすることによって、トラック方向に必要なシフト選択性を確保しつつ、クロストラック方向のトレランスを増やして記録することができ、それ故、再生時のトラッキングサーボを容易且つ安定に行うことができる。
【００３２】
尚、上記実施の形態では４ｆ光学系の中にアパーチャを配置した例について説明したが、拡散板の拡散角度をトラック方向とクロストラック方向を変えることで、アパーチャ無しでも同じ作用効果を得ることができる。また、説明上、拡散板という表現を用いたが、実際は回折光学素子のようなものでも構わない。
【実施例３】
【００３３】
図８は、本発明の第３の実施の形態に係るホログラム記録再生装置の要部の構成を示した平面図である。但し、図６に示した第２の実施の形態と同様の部分には同一符号を付して説明する。本実施の形態のホログラム記録再生装置の参照光光学系は、アパーチャ２５の開口部に装着された拡散板１６を通った参照光２００をホログラム記録材料１２に照射する構造を有している。
【００３４】
図９（Ａ）は図８を矢印Ａ方向から見た側面図であり、図９（Ｂ）は図８を矢印Ｂ方向から見た側面図である。ホログラム記録再生装置の参照光光学系は拡散板１６を開口部に装着したアパーチャ２５、レンズ２７を有して構成され、レンズ２７は、フーリエ変換レンズとして働く。
【００３５】
次に本実施の形態の動作について説明する。参照光２００はアパーチャ２５を通過すると共に、拡散板１６によりその波面がスペックル波状になり、さらにレンズ２７によりホログラム記録材料１２に照射される。このアパーチャ２５の開口部もトラック方向に細長い形状をしており、この開口部に装着された拡散板１６も同形状になり、トラック方向の長さｄinがクロストラック方向の長さｄcross に比べて長く、ｄin＞ｄcrossの関係がある。このｄin＞ｄcrossの関係があると、クロストラック方向に長いスペックルパターンを作ることができる。
【００３６】
本実施の形態によれば、トラック方向に細長い形状をした開口部を持つアパーチャ２５に拡散板１６を装着し、参照光２００をこのアパーチャ２５に通すことにより、トラック方向に必要なシフト選択性を確保しつつ、クロストラック方向のトレランスを増やして記録することができ、それ故、再生時のトラッキングサーボを容易且つ安定に行うことができる。
【００３７】
尚、スペックルの理論により、拡散板１６の拡散角とスペックルサイズは通常は無関係であり、図８、図９から分かるように拡散板１６の拡散角はホログラム記録エリアの必要な部分に参照光２００が広がるように設定されていることが好ましい。このような拡散角の制御は拡散板１６の表面粗さによって制御できるし、拡散板１６の代わりに回折光学素子のようなものを用いても良い。
【実施例４】
【００３８】
図１０は、本発明の第４の実施の形態に係るホログラム記録再生装置の要部の構成を示した平面図である。ホログラム記録再生装置は、信号光１００と参照光２００が同一方向からホログラム記録材料６０に入射するインライン方式（もしくは、共軸方式またはコリニア方式）でスペックル多重記録を行うものであり、その光学系は、空間光変調器（ＳＬＭ）３１及びディフューザ（拡散板）３２、レンズ３３、ホログラム記録材料６０、レンズ３４、イメージセンサ３５を有して構成され、空間光変調器３１の上側にディフューザ３２が配置されている。
【００３９】
図１１は空間光変調器３１及びディフューザ３２を示した正面図である。空間光変調器３１の上に細長いディフューザ３２が配置され、空間光変調器３１内の４隅には画像処理の原点を検出するためのアラインメントマークが表示され、その内側に記録すべきデータページが表示されている。ディフューザ３２の形状は、ホログラム記録材料６０のクロストラック方向に必要なトレランスの大きさにより決定される。
【００４０】
次に本実施の形態の動作について説明する。レーザ光９０は空間光変調器３１及びディフューザ３２に入射する。レーザ光９０は空間光変調器３１に表示されているデータページにより空間光変調されて信号光１００になり、同レーザ光９０はディフューザ３２により拡散されてその波面がスペックル状の参照光２００になる。信号光１００と参照光２００はレンズ３３によってホログラム記録材料６０に集光され、両光の干渉縞がホログラム記録材料６０に記録される。また、空間光変調器３１を全黒表示して、レーザ光９０を照射すると、ディフューザ３２により拡散された参照光２００のみがレンズ３３によりホログラム記録材料６０に照射され、これにより、再生信号光３００が発生し、これがレンズ３４によりイメージセンサ３５に集光されて記録データページの再生が行われる。
【００４１】
ここで、ディフューザ３２の形状は、ホログラム記録材料６０のクロストラック方向に必要なトレランスの大きさにより決定され、図示のように横長の長方形の場合、上下方向に細長いスペックルパターンが生成される。このようなスペックルパターンでは、上下方向にトレランスが大きく、左右方向にシフト選択性が高いことになる。そこで、ホログラム記録材料６０のトラック方向がディフューザ３２の長手方向に一致するように空間光変調器３１及びディフューザ３２が配置される。
【００４２】
本実施の形態によれば、インライン方式のホログラム記録再生装置でも、空間光変調器３１の片側に細長い形状のディフューザ３２を配置することによって、参照光２００のスペックルパターンをトラック方向とクロストラック方向で変えることにより、トラック方向に必要なシフト選択性を確保しつつ、クロストラック方向のトレランスを増やして記録することができ、それ故、再生時のトラッキングサーボを容易且つ安定に行うことができる。
【００４３】
尚、上記実施の形態では、空間光変調器３１とディフューザ３２は別々のものであったが、空間光変調器３１にディフューザを兼ねる機能を持たせても良く、その場合は空間光変調器３１の表示面の一部にランダムパターンを表示させてディフューザとし、その表示パターンによって同様のシフト選択性のコントロールを行うことが可能である。
【００４４】
また、本発明は上記実施の形態に限定されることなく、その要旨を逸脱しない範囲において、具体的な構成、機能、作用、効果において、他の種々の形態によっても実施することができる。例えば、上記実施の形態では、ホログラム記録材料はディスク型であったが、カード型のようなディスク形状のホログラム記録材料に対しても参照光２００のスペックルパターンをトラック方向とクロストラック方向で変えることで、同様の効果を得ることができる。
【図面の簡単な説明】
【００４５】
【図１】本発明の第１の実施の形態に係るホログラム記録再生装置の構成を示した概略図である。
【図２】図１に示した装置によりスペックル多重記録した場合の記録エリアの形態を示した図である。
【図３】図１に示した拡散板の作用を説明する図である。
【図４】図３の拡散板を通った参照光の形態を示した図である。
【図５】図１に示した拡散板のトラック方向とクロストラック方向の作用を説明する図である。
【図６】本発明の第２の実施の形態に係るホログラム記録再生装置の要部の構成を示した平面図である。
【図７】図６を矢印Ａ方向から見た側面図及び図６を矢印Ｂ方向から見た側面図である。
【図８】本発明の第３の実施の形態に係るホログラム記録再生装置の要部の構成を示した平面図である。
【図９】図８を矢印Ａ方向から見た側面図及び図８を矢印Ｂ方向から見た側面図である。
【図１０】本発明の第４の実施の形態に係るホログラム記録再生装置の要部の構成を示した平面図である。
【図１１】図１０に示した空間光変調器及びディフューザを示した正面図である。
【図１２】スペックル多重方式による記録形態を説明する図である。
【符号の説明】
【００４６】
２……レーザ光源、３……シャッター、４……ビームスプリッター、６、１４……ミラー、７……スピンドルモータ、８、３１……空間光変調器（ＳＬＭ）、１０、１８、２０、２４、２６、２７、３３、３４……レンズ、１２、６０……ホログラム記録材料、１６……拡散板、２２……ディテクター、２５……アパーチャ、３２……ディフューザ、３５……イメージセンサ。
【図１】
2006030380.tif 000003
【図２】
2006030380.tif 000004
【図３】
2006030380.tif 000005
【図４】
2006030380.tif 000006
【図５】
2006030380.tif 000007
【図６】
2006030380.tif 000008
【図７】
2006030380.tif 000009
【図８】
2006030380.tif 000010
【図９】
2006030380.tif 000011
【図１０】
2006030380.tif 000012
【図１１】
2006030380.tif 000013
【図１２】
2006030380.tif 000014